(57)【要約】【課題】開封する際に、内部の食品が飛び出してしまうことを防止できるカートンを提供すること。【解決手段】食品用のカートン１は、筒状の胴部２と、胴部２の軸方向の一端部を塞ぐ底面部３と、胴部２の軸方向の他端部を塞ぐとともに、胴部２の軸方向に直交する一方側から他方側に向かう開封方向に開封されて胴部２の軸方向の他端部に開口８Ａを形成する開封面部７とを備え、胴部２は、開封方向の他方側で開封面部７に連接する第１側面部２２と、胴部２の周方向で第１側面部２２に連接する第２側面部２３、２４とを備え、第１側面部２２は、開封面部７の開封操作に連続して切断される切断線２３Ｄ、２４Ｄを備えている。【選択図】図４
2020083442.tif 000002
【特許請求の範囲】
【請求項１】
食品用のカートンであって、
筒状の胴部と、
前記胴部の軸方向の一端部を塞ぐ底面部と、
前記胴部の軸方向の他端部を塞ぐとともに、前記胴部の軸方向に直交する一方側から他方側に向かう開封方向に開封され、前記胴部の軸方向の他端部に開口を形成する開封面部とを備え、
前記胴部は、前記開封方向の前記他方側で前記開封面部に連接する第１側面部と、前記胴部の周方向で前記第１側面部に連接する第２側面部とを備え、
前記第１側面部は、前記開封面部の開封操作に連続して切断される切断線を備えていることを特徴とするカートン。
【請求項２】
前記切断線は、前記第１側面部と前記第２側面部との境界位置に設けられていることを特徴とする請求項１に記載のカートン。
【請求項３】
前記第１側面部および前記第２側面部の一方は、前記第１側面部および前記第２側面部の他方に貼付されるフラップを備え、前記フラップに前記切断線が設けられていることを特徴とする請求項１または請求項２に記載のカートン。
【発明の詳細な説明】
【技術分野】
【０００１】
本発明は、カートンに関する。
【背景技術】
【０００２】
従来、筒状の胴部と、当該胴部の軸方向の端部に設けられた開封面部とを備え、胴部の軸方向に直交する一方側から他方側に向かって開封面部を開封する食品用のカートンが知られている（例えば、特許文献１参照）。
【０００３】
図６（Ａ）は、従来のカートン９０を開封した状態を示す側面図、図６（Ｂ）は、図６（Ａ）の平面図である。図６（Ａ）、（Ｂ）において、カートン９０は、複数の側面部９１と、複数の側面部９１のうちの１つに連接する開封面部９２とを備えている。
【先行技術文献】
【特許文献】
【０００４】
【特許文献１】特開２０１３−２５２８８４号公報
【発明の概要】
【発明が解決しようとする課題】
【０００５】
しかしながら、上記したような従来のカートンは、開封面部に連接する側面部が他の側面部に連接しておらず、開封面部の開封と同時に側面部が他の側面部から分離して開放されてしまう。このため、開封する際に、内部の食品の動きを胴部によって抑制することができず、食品が飛び出してしまうという問題がある。
【０００６】
本発明の目的は、開封する際に、内部の食品が飛び出してしまうことを防止できるカートンを提供することにある。
【課題を解決するための手段】
【０００７】
本発明のカートンは、食品用のカートンであって、筒状の胴部と、前記胴部の軸方向の一端部を塞ぐ底面部と、前記胴部の軸方向の他端部を塞ぐとともに、前記胴部の軸方向に直交する一方側から他方側に向かう開封方向に開封され、前記胴部の軸方向の他端部に開口を形成する開封面部とを備え、前記胴部は、前記開封方向の前記他方側で前記開封面部に連接する第１側面部と、前記胴部の周方向で前記第１側面部に連接する第２側面部とを備え、前記第１側面部は、前記開封面部の開封操作に連続して切断される切断線を備えていることを特徴とする。
【０００８】
ここで、連接するとは、予め互いに接続された状態に形成されている場合や、互いに貼付されて接続されている場合等、互いに直接的に接続されている状態をいう。
また、第１側面部が切断線を備えているとは、第１側面部と第２側面部との境界位置に切断線が設けられる場合を含む。
【０００９】
本発明によれば、開封面部に連接する第１側面部が胴部の周方向で第２側面部に連接し、第１側面部には、開封面部の開封操作に連続して切断される切断線が設けられているので、開封面部を開封した時点では第１側面部が開放されず、開封面部の開封操作に連続して切断線が切断されてから第１側面部が開放される。このため、開封する際に、内部の食品の動きを胴部によって抑制することができるので、食品が飛び出してしまうことを防止できる。
【００１０】
本発明のカートンにおいて、前記切断線は、前記第１側面部と前記第２側面部との境界位置に設けられていることが好ましい。
【００１１】
本発明によれば、切断線が第１側面部と第２側面部との境界位置に設けられているため、切断線の切断により、第１側面部全体が開放される。したがって、第１側面部が開放された部分から、食品を容易に取り出すことができる。
【００１２】
本発明のカートンにおいて、前記第１側面部および前記第２側面部の一方は、前記第１側面部および前記第２側面部の他方に貼付されるフラップを備え、前記フラップに前記切断線が設けられていることが好ましい。
【００１３】
本発明によれば、第１側面部および第２側面部の一方に設けられ、第１側面部および第２側面部の他方に貼付されるフラップに切断線が設けられているため、第１側面部および第２側面部の他方に貼付されたフラップによって、当該他方の側面部の剛性を向上させつつ、フラップに設けられた切断線の切断によって、第１側面部を開放することができる。
【図面の簡単な説明】
【００１４】
【図１】本発明の一実施形態に係るカートンの斜視図。
【図２】カートンの展開図。
【図３】カートンの開封手順を示す平面図。
【図４】カートンの開封手順を示す側面図。
【図５】本発明の変形例に係るカートンの展開図。
【図６】（Ａ）は従来のカートンを開封した状態を示す側面図、（Ｂ）は（Ａ）の平面図。
【発明を実施するための形態】
【００１５】
以下、図面に基づいて本発明の一実施形態について説明する。
なお、以下の記載において方向を表す場合、カートン１を図１に示すように置いた状態を基準とする。
【００１６】
［全体構成］
図１は、本実施形態に係るカートン１を示す斜視図である。図２は、カートン１の展開図（カートン形成用パネル（カートンブランクとも称する）１０の平面図）である。
図１において、カートン１は、個別包装された板状のチョコレート等の複数の食品ＦＤを並べて収容可能な箱体であり、図２に示すように、板紙素材で形成されたカートン形成用パネル１０から組み立てられる。
【００１７】
図１および図２において、カートン１は、胴部２、底面部３、第１張出部４（図２参照）、一対の第２張出部５、６（図２参照）、および開封面部７を備えている。
【００１８】
胴部２は、平面視略長方形の筒状とされている。胴部２は、第１側面部２１、２２と、第２側面部２３、２４とを備えている。
【００１９】
第１側面部２１、２２は、胴部２の長辺側の側面部分であり、胴部２の軸方向に直交する一方側から他方側に向かう開封方向Ｄに互いに対向している。
第１側面部２１は、開封方向Ｄの一方側に設けられている。
第１側面部２２は、開封方向Ｄの他方側に設けられ、当該他方側で開封面部７に連接している。
【００２０】
第２側面部２３、２４は、胴部２の短辺側の側面部分であり、胴部２の軸方向と開封方向Ｄとの両方向に直交する方向に互いに対向している。第２側面部２３、２４は、胴部２の周方向で第１側面部２１、２２に連接している。
【００２１】
第２側面部２３は、本体部２３Ａと、フラップ２３Ｂ、２３Ｃとを備えている。
本体部２３Ａは、第１側面部２２と底面部３とに連接している。
フラップ２３Ｂは、本体部２３Ａから胴部２の周方向の一方側に延設され、第１側面部２１に貼付される。
フラップ２３Ｃは、本体部２３Ａから胴部２の周方向の他方側に延設され、第１側面部２２に貼付される。フラップ２３Ｃは、開封面部７の開封操作に連続して切断される切断線２３Ｄを備えている。
切断線２３Ｄは、第２側面部２３における第１側面部２２との境界位置、すなわち胴部２の角部２０（図１参照）の位置に設けられている。切断線２３Ｄは、切目が断続して列をなすいわゆるミシン目とされた破断線で構成されている。
【００２２】
第２側面部２４は、第２側面部２３と同様に構成されているため、第２側面部２３の符号の先頭から２番目の３の記号を４に置き換えて図示し、その説明を省略する。
【００２３】
底面部３は、第１側面部２１、２２と第２側面部２３、２４とに連接し、胴部２の軸方向の一端部を塞いでいる。
【００２４】
第１張出部４は、第１側面部２１に連接し、第１側面部２１の上端部から胴部２の内方に張り出している。第１張出部４は、その中央部に後述する把持部７２が差し込まれる差込部４１が形成されるとともに、中央部よりも両端部の方が胴部２の内方に張り出す形状とされている。
【００２５】
第２張出部５は、第２側面部２３に連接し、第２側面部２３の上端部から胴部２の内方に張り出している。
【００２６】
第２張出部６は、第２張出部５に対して線対称に配置されている。第２張出部６は、第２張出部５と同様に構成されているため、その説明を省略する。
【００２７】
開封面部７は、基端部が第１側面部２２に連接するとともに、先端部が第１張出部４および第２張出部５、６に貼付され、胴部２の軸方向の他端部、すなわち胴部２における底面部３の反対側の端部を塞いでいる。開封面部７は、胴部２の軸方向に直交する一方側から他方側に向かう開封方向Ｄに開封され、胴部２における底面部３の反対側の端部に開口８Ａ（図４参照）を形成する。
【００２８】
開封面部７は、開封用切込線７１と、把持部７２とを備えている。
開封用切込線７１は、開封面部７の先端部から開封方向Ｄに延びる一対の平行な第１破断線７１Ａと、第１破断線７１Ａから開封方向Ｄに向かって次第に拡開するように延びる一対の第２破断線７１Ｂとで構成される。第１破断線７１Ａおよび第２破断線７１Ｂは、開封面部７に形成された切目が断続して列をなすいわゆるミシン目とされている。第２破断線７１Ｂは、開封面部７における開封方向Ｄに直交する方向の両端まで延びている。
把持部７２は、開封面部７における一対の第１破断線７１Ａの間の部分であり、開封面部７の先端部に設けられている。
【００２９】
［カートンの開封］
カートン１を開封する際は、把持部７２を把持して引き上げつつ、図３（Ａ）に示すように、当該把持部７２を開封方向Ｄに引っ張る。これにより、図４（Ａ）に示すように、開封面部７が開封用切込線７１に沿って開封面部７の基端部、すなわち第１側面部２２との連接部まで切断され、開口８Ａが形成される。この時点では、切断線２３Ｄ、２４Ｄが切断されておらず、第１側面部２２が開放されていないため、内部の食品ＦＤの動きが第１側面部２２を含む胴部２全体によって抑制され、食品ＦＤが胴部２から飛び出してしまうことを防止できる。また、第１張出部４および第２張出部５、６が胴部２の内方に張り出して食品ＦＤを部分的に覆っているため、食品ＦＤが胴部２から飛び出してしまうことをより確実に防止できる（図４（Ａ））。
【００３０】
その後、把持部７２をさらに開封方向Ｄに引っ張ると、開封面部７に連接する第１側面部２２が開封面部７によって引っ張られる。これに伴い、第１側面部２２に貼付されているフラップ２３Ｃ、２４Ｃが第１側面部２２によって引っ張られ、フラップ２３Ｃ、２４Ｃと第１側面部２２との間の切断線２３Ｄ、２４Ｄが切断される。これにより、図３（Ｂ）および図４（Ｂ）に示すように、第１側面部２２が第２側面部２３、２４から切り離されて開放され、開口８Ａに連通する側面開口８Ｂが形成される。したがって、これらの開口８Ａ、８Ｂから食品ＦＤを容易に取り出すことができる（図４（Ｂ））。
【００３１】
なお、開封面部７を閉じる際は、開封面部７を開封前の位置に戻し、把持部７２を第１張出部４の差込部４１に差し込む。これにより、把持部７２が差込部４１に係止され、開封面部７を閉じた状態を維持することができる。
【００３２】
以上のような実施形態によれば、開封面部７に連接する第１側面部２２が胴部２の周方向で第２側面部２３、２４に連接し、第１側面部２２には、開封面部７の開封操作に連続して切断される切断線２３Ｄ、２４Ｄが設けられているので、開封面部７を開封した時点では第１側面部２２が開放されず、開封面部７の開封操作に連続して切断線２３Ｄ、２４Ｄが切断されてから第１側面部２２が開放される。このため、開封する際に、内部の食品ＦＤの動きを胴部２によって抑制することができるので、食品ＦＤが飛び出してしまうことを防止できる。
【００３３】
また、切断線２３Ｄ、２４Ｄが第１側面部２２と第２側面部２３、２４との境界位置に設けられているため、切断線２３Ｄ、２４Ｄの切断により、第１側面部２２全体が開放される。したがって、第１側面部２２が開放された部分から、食品ＦＤを容易に取り出すことができる。
【００３４】
また、第２側面部２３、２４に設けられ、第１側面部２２に貼付されるフラップ２３Ｃ、２４Ｃに切断線２３Ｄ、２４Ｄが設けられているため、第１側面部２２に貼付されたフラップ２３Ｃ、２４Ｃによって、第１側面部２２の剛性を向上させつつ、フラップ２３Ｃ、２４Ｃに設けられた切断線２３Ｄ、２４Ｄの切断によって、第１側面部２２を開放することができる。
【００３５】
［変形例］
なお、本発明は前述した実施形態に限定されるものではなく、本発明の目的を達成できる範囲での変形、改良等は本発明に含まれる。
例えば、胴部２は、平面視略長方形の筒状のものに限られず、例えば、平面視略三角形、正方形や菱形等の長方形以外の四角形、五角以上の多角形の筒状のものや、平面視略真円形、楕円形、長円形等の筒状のものでもよい。
【００３６】
第１側面部２１は、図５に示すように、当該第１側面部２１の本体部２１Ａから胴部２の周方向の一方側に延設されたフラップ２１Ｂと、本体部２１Ａから胴部２の周方向の他方側に延設されたフラップ２１Ｃとを備え、フラップ２１Ｂ、２１Ｃが第２側面部２３、２４に貼付されてもよい。この場合、第２側面部２３、２４は、フラップ２３Ｂ、２４Ｂを備えていなくてもよい。
【００３７】
第１側面部２２は、図５に示すように、当該第１側面部２２の本体部２２Ａから胴部２の周方向の一方側に延設されたフラップ２２Ｂと、本体部２２Ａから胴部２の周方向の他方側に延設されたフラップ２２Ｃとを備え、フラップ２２Ｂ、２２Ｃに切断線２２Ｄ、２２Ｅが設けられ、フラップ２２Ｂ、２２Ｃが第２側面部２３、２４に貼付されてもよい。この場合、第２側面部２３、２４は、フラップ２３Ｃ、２４Ｃを備えていなくてもよい。
【００３８】
第１側面部２１、２２と第２側面部２３、２４とは、カートン形成用パネル１０の段階で予め互いに接続された状態に形成して連接させておいてもよいし、接着剤やヒートシール等で後から互いを接着して連接させてもよい。この場合、第２側面部２３、２４は、フラップ２１Ｂ、２１Ｃ、２２Ｂ、２２Ｃ、２３Ｂ、２３Ｃ、２４Ｂ、２４Ｃを備えていなくてもよく、切断線２２Ｄ、２２Ｅ、２３Ｄ、２４Ｄは、第１側面部２２と第２側面部２３、２４との連接部に設ければよい。
【００３９】
切断線２２Ｄ、２２Ｅ、２３Ｄ、２４Ｄは、フラップ２２Ｂ、２２Ｃ、２３Ｃ、２４Ｃの面内に設けられてもよい。この場合、フラップ２２Ｂ、２２Ｃ、２３Ｃ、２４Ｃにおける切断線２２Ｄ、２２Ｅ、２３Ｄ、２４Ｄよりも先端側の部分を各側面部２２〜２４に貼付すればよい。
切断線２２Ｄ、２２Ｅ、２３Ｄ、２４Ｄや開封用切込線７１は、破断線で構成される場合に限定されず、例えば、カートン１を部分的に変質させた変質部で構成してもよいし、カートン１を部分的に薄肉にした薄肉部で構成してもよい。この場合、変質部や薄肉部は、破断線のように断続的に連なって並ぶように設けられてもよいし、連続する１本の線状に設けられてもよい。
【符号の説明】
【００４０】
１…カートン、２…胴部、３…底面部、４…第１張出部、５、６…第２張出部、７…開封面部、８Ａ…開口、２０…角部、２１、２２…第１側面部、２３、２４…第２側面部、２３Ｃ、２４Ｃ…フラップ、２３Ｄ、２４Ｄ…切断線、Ｄ…開封方向。
【図１】
2020083442.tif 000003
【図２】
2020083442.tif 000004
【図３】
2020083442.tif 000005
【図４】
2020083442.tif 000006
【図５】
2020083442.tif 000007
【図６】
2020083442.tif 000008